(57)【特許請求の範囲】
【請求項１】
第１直線偏光光を透過させ、当該第１直線偏光光と略直交する第２直線偏光光を反射させる反射型偏光板と、
前記反射型偏光板を収容するとともに、前記反射型偏光板の一方の面を当接して保持する３つの保持部を有する保持部材と、
前記保持部材の３つの保持部に相対して位置するとともに、前記保持部材に収容された前記反射型偏光板の他方の面を押圧して付勢する３つの付勢部を有する第１付勢部材とを備え、
前記第１付勢部材は、
前記反射型偏光板に光束を入射させる開口部と、
前記開口部を介して互いに対向する一の組の２辺にそれぞれ形成される第１バネ部と、
前記一の組の２辺において、前記第１バネ部から離れるに従い前記反射型偏光板から離れる方向に傾いて形成される第２バネ部と、
前記保持部材に係合するとともに、前記開口部を介して互いに対向する他の組の２辺に形成される係合片とを有することを特徴とする反射型偏光板装置。
【請求項２】
請求項１に記載の反射型偏光板装置であって、
前記付勢部は、先端が略球面形状を有して前記他方の面側に突出していることを特徴とする反射型偏光板装置。
【請求項３】
請求項１または請求項２に記載の反射型偏光板装置であって、
前記保持部材に収容された前記反射型偏光板の側面を付勢する第２付勢部材を備えていることを特徴とする反射型偏光板装置。
【請求項４】
請求項１〜請求項３のいずれか一項に記載の反射型偏光板装置であって、
前記反射型偏光板は矩形状に形成され、
前記保持部は、前記反射型偏光板の前記一方の面において、対向する縁部のうち、一方の当該縁部の１箇所と他方の当該縁部の２箇所とに対して当接することを特徴とする反射型偏光板装置。
【請求項５】
請求項４に記載の反射型偏光板装置であって、
前記他方の縁部の２箇所に当接する前記保持部は、前記一方の縁部の１箇所に当接する前記保持部を通り、前記反射型偏光板の前記他方の縁部の外形辺に垂直となる中心線に対し、略対称となる位置に設置されていることを特徴とする反射型偏光板装置。
【請求項６】
請求項１〜請求項５のいずれか一項に記載の反射型偏光板装置であって、
前記第１付勢部材の３つの付勢部は、前記第１バネ部に１箇所設けられ、前記第２バネ部に２箇所設けられるとともに、前記付勢部が設けられる前記第１バネ部および前記第２バネ部は、前記第１付勢部材の一の組の２辺のうち互いに異なる辺であることを特徴とする反射型偏光板装置。
【請求項７】
請求項１〜請求項６のいずれか一項に記載の反射型偏光板装置と、
前記反射型偏光板装置を透過した前記第１直線偏光光に対し、画像情報に応じて変調して画像光を形成し、当該画像光を前記第２直線偏光光として反射させる反射型光変調装置と、
前記反射型偏光板装置を支持する第１面部と、前記反射型光変調装置を支持する第２面部と、第３面部を有する概三角柱形状の支持部材と、
を備えることを特徴とする電気光学装置。
【請求項８】
赤色光、緑色光、及び青色光の３つの色光に対応して設けられる請求項７に記載の電気光学装置と、
前記電気光学装置を対応する面にそれぞれ設置し、それぞれの前記電気光学装置で変調されて射出された前記画像光を合成して射出するクロスダイクロイックプリズムと、
を備えることを特徴とする光学装置。
【請求項９】
請求項８に記載の光学装置を備えることを特徴とするプロジェクター。
【発明の詳細な説明】
【技術分野】
【０００１】
本発明は、反射型偏光板装置、電気光学装置、光学装置、及びプロジェクターに関する。
【背景技術】
【０００２】
従来、反射型光変調装置を用いたプロジェクターが知られている。このプロジェクターには、ワイヤーグリッド型の反射型偏光板を備えたものがある。
【０００３】
特許文献１には、反射型空間光変調素子と、色光照明手段と、ワイヤーグリッド偏光子と、色合成光学系と、色合成光学系の入射面に対向して近接配置されて各色光用のワイヤーグリッド偏光子が取り付けられる第１面と、各色光用の反射型空間光変調素子が位置調整機構部を介して取り付けられる第２面とを少なくとも有した各色光用の支持部材と、投射レンズと、を備え、ワイヤーグリッド偏光子は、光学ガラス基板の片面側に金属線からなるワイヤーグリッドを有し、このワイヤーグリッドが形成されていない側の面を各色光用の支持部材の第１面にワイヤーグリッド偏光子固定用バネ部材により着脱自在に固定する構成とした投射型表示装置（プロジェクター）が開示されている。
【０００４】
また、詳細には、三角柱状支持部材の第１面に設けられた矩形孔の外周２段の凹部分の深い側の３箇所の凸部にワイヤーグリッド偏光子を取り付け、浅い側とまたがって密閉部材を配置し、更に上部に、板バネ部材を設置する。３箇所の押え部分は、凸部と一致してワイヤーグリッド偏光子を垂直方向から押え固定し、枠部分で密閉部材を押え固定する。板バネ部材は、三角柱状支持部材の下面および上面に形成された爪部に矩形孔部分を引っ掛けて固定し、一定の荷重で板バネ部材の押え部分がワイヤーグリッド偏光子を押さえることが開示されている。なお、この構成により、レジストレーションずれを軽減し、安定性の高い高品位画像を得ることができるとしている。
【先行技術文献】
【特許文献】
【０００５】
【特許文献１】特開２００８−１８０８５６号公報
【発明の概要】
【発明が解決しようとする課題】
【０００６】
特許文献１では、上述したように、ワイヤーグリッド偏光子は、板バネ部材の押さえ部分により、ワイヤーグリッド偏光子の平面に対して垂直方向から一定の荷重で押さえられて固定されている。しかし、固定されたワイヤーグリッド偏光子は、衝撃（物理的衝撃や熱的衝撃を含む）や振動等が加わることにより、回転し易くなる。ワイヤーグリッド偏光子（ワイヤーグリッド型の反射型偏光板）は、反射型光変調装置に対して平面方向に回転することで角度がずれた場合、コントラスト低下の重要な要因となるという課題がある。また、ワイヤーグリッド型の反射型偏光板は、固定するための押え方により、反射型偏光板自体に歪みが生じ、光学特性を劣化させるという課題もある。
【０００７】
従って、適切な押え方により、反射型偏光板の光学特性を維持できると共に、衝撃や振動に対しても確実に反射型偏光板を固定できる反射型偏光板装置、電気光学装置、光学装置、及びプロジェクターが要望されていた。
【課題を解決するための手段】
【０００８】
本発明は、上述した課題の少なくとも一部を解決するためになされたものであり、以下の適用例として実現することが可能である。
【０００９】
［適用例１］本適用例に係る反射型偏光板装置は、第１直線偏光光を透過させ、第１直線偏光光と略直交する第２直線偏光光を反射させる反射型偏光板と、反射型偏光板を収容して保持する保持部材と、保持部材に収容された反射型偏光板の平面を付勢する第１付勢部材と、を備え、保持部材は、反射型偏光板の一方の面を当接して保持する３つの保持部を有し、第１付勢部材は、３つの保持部に相対する位置に、３つの付勢部を有し、反射型偏光板の他方の面を３つの付勢部が押圧して付勢することを特徴とする。
【００１０】
このような反射型偏光板装置によれば、保持部材の３つの保持部により反射型偏光板の一方の面を当接して保持し、３つの保持部に相対する第１付勢部材の３つの付勢部により反射型偏光板の他方の面を押圧して付勢することにより反射型偏光板を固定する。この構成により、反射型偏光板の両面を、保持部と付勢部との相対する３点で支持する形態とすることができ、また、３点で支持することによって、反射型偏光板を適切な押え方と適切な押圧力で保持部材に固定することがでると共に、衝撃（物理的衝撃や熱的衝撃を含む）や振動等が加わった場合にも、変形等することなく、反射型偏光板を確実に固定することができる。これにより、通常使用時において反射型偏光板自体に歪みが生じることを防止できると共に、衝撃や振動等が加わった場合にも反射型偏光板の保持部材に対する移動を防止することができる。従って、通常使用時はもとより、衝撃や振動等が加わった場合にも、反射型偏光板の光学特性を維持することができる。
【００１１】
［適用例２］上記適用例に係る反射型偏光板装置において、付勢部は、先端が略球面形状を有して他方の面側に突出していることが好ましい。
【００１２】
このような反射型偏光板装置によれば、付勢部の先端が略球面形状を有することにより、仮に、付勢部がずれたとしても、反射型偏光板を適切に支持および付勢することができる。
【００１３】
［適用例３］上記適用例に係る反射型偏光板装置において、保持部材に収容された反射型偏光板の側面を付勢する第２付勢部材を備えていることが好ましい。
【００１４】
このような反射型偏光板装置によれば、第１付勢部材により、反射型偏光板の平面を付勢するだけではなく、第２付勢部材により、反射型偏光板の側面も付勢する。従って、平面のみの付勢だけでなく側面も付勢することによって、反射型偏光板を保持部材に確実に固定することができる。従って、衝撃や振動等が加わった場合、反射型偏光板の保持部材に対する平面方向の回転を更に防止することができる。
【００１５】
［適用例４］上記適用例に係る反射型偏光板装置において、反射型偏光板は矩形状に形成され、保持部は、反射型偏光板の一方の面において、対向する縁部のうち、一方の縁部の１箇所と他方の縁部の２箇所とに対して当接することが好ましい。
【００１６】
このような反射型偏光板装置によれば、保持部は、反射型偏光板の一方の面において、対向する縁部を１箇所と２箇所で当接させる。これに対応して、第１付勢部材の付勢部も保持部に相対して形成され、反射型偏光板の他方の面を押圧する。これにより、反射型偏光板の保持部材への固定を安定させることができる。
【００１７】
［適用例５］上記適用例に係る反射型偏光板装置において、他方の縁部の２箇所に当接する保持部は、一方の縁部の１箇所に当接する保持部を通り、反射型偏光板の他方の縁部の外形辺に垂直となる中心線に対し、略対称となる位置に設置されていることが好ましい。
【００１８】
このような反射型偏光板装置によれば、反射型偏光板の保持部材への固定を更に安定させることができる。
【００１９】
［適用例６］本適用例に係る電気光学装置は、（ａ）上述したいずれかの反射型偏光板装置と、（ｂ）反射型偏光板装置を透過した第１直線偏光光に対し、画像情報に応じて変調して画像光を形成し、当該画像光を第２直線偏光光として反射させる反射型光変調装置と、（ｃ）反射型偏光板装置を支持する第１面部と、反射型光変調装置を支持する第２面部と、第３面部を有する概三角柱形状の支持部材と、を備えることを特徴とする。
【００２０】
このような電気光学装置によれば、反射型偏光板装置は、概三角柱状に形成される支持部材の第１面部に支持されて固定され、反射型光変調装置は支持部材の第２面部に支持されて固定される。そして、反射型偏光板装置は、透過した第１直線偏光光を反射型光変調装置に入射させ、反射型光変調装置は、入射した第１直線偏光光を第２直線偏光光として反射型偏光板装置に反射させ、反射型偏光板装置は、入射した第２直線偏光光を第３面部に向けて反射させる。このように構成される電気光学装置に、通常使用時、および衝撃や振動等が加わった場合にも、反射型偏光板の光学特性を維持できる反射型偏光板装置を備えることにより、入射する第１直線偏光光を反射型光変調装置に適切に透過すると共に、反射型光変調装置からの第２直線偏光光を適切に反射させることができる。従って、通常使用時、および衝撃や振動等が加わった場合にも、光学特性を維持する電気光学装置を実現することができる。
【００２１】
［適用例７］本適用例に係る光学装置は、赤色光、緑色光、及び青色光の３つの色光に対応して設けられる上述の電気光学装置と、電気光学装置を対応する面にそれぞれ設置し、それぞれの電気光学装置で変調されて射出された画像光を合成して射出するクロスダイクロイックプリズムと、を備えることを特徴とする。
【００２２】
このような光学装置によれば、クロスダイクロイックプリズムは、電気光学装置を色光毎に、対応する面に設置して固定する。また、光学装置は、それぞれの電気光学装置で変調されて射出された画像光を合成して射出する。このように構成される光学装置に、通常使用時、および衝撃や振動等が加わった場合にも、光学特性を維持できる電気光学装置を備えることにより、色光毎に設置される電気光学装置から射出された画像光を、クロスダイクロイックプリズムで適切に合成して射出することができる。従って、通常使用時、および衝撃や振動等が加わった場合にも、光学特性を維持する光学装置を実現することができる。
【００２３】
［適用例８］本適用例に係るプロジェクターは、上述した光学装置を備えることを特徴とする。
【００２４】
このようなプロジェクターによれば、上述した光学装置を備えることにより、通常使用時、および衝撃や振動等が加わった場合にも光学特性を維持できるため、コントラスト性能を維持し、画素ズレを抑制した画像光を投写することができる。
【図面の簡単な説明】
【００２５】
【図１】本実施形態に係るプロジェクターの概略構成を模式的に示す図。
【図２】光学装置を示す斜視図。
【図３】Ｂ光用の電気光学装置を示す斜視図。
【図４】Ｂ光用の電気光学装置の分解斜視図。
【図５】Ｂ光用の反射型偏光板装置の分解斜視図。
【図６】Ｂ光用の反射型偏光板装置を示す斜視図。
【図７】Ｂ光用の反射型偏光板装置を示す斜視図。
【発明を実施するための形態】
【００２６】
以下、実施形態を図面に基づいて説明する。
（実施形態）
【００２７】
図１は、本実施形態に係るプロジェクター１の概略構成を模式的に示す図である。図１を参照して、プロジェクター１の光学系の構成及び動作を簡単に説明する。
本実施形態のプロジェクター１は、光源から射出された光束を画像情報（画像信号）に応じて変調して画像光を形成し、その画像光をスクリーン等に投写する。図１に示すように、プロジェクター１は、外装を構成する外装筺体１Ａ、光源装置３１等を有する光学ユニット３、制御部（図示省略）、光源装置３１や制御部等に電力を供給する電源装置（図示省略）、及びプロジェクター１内部を冷却する冷却ファン（図示省略）等を備えている。
【００２８】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に係る制御等を行う。
【００２９】
光学ユニット３は、制御部の制御に基づき、光源装置３１から射出された光束を光学的に処理し、画像情報に応じた画像光を形成して投写する。光学ユニット３は、光源装置３１のほか、照明光学装置３２、色分離光学装置３３、光学装置７、投写レンズ３５、及びこれらを光路上の所定の位置に配置する光学部品用筺体１Ｂを備える。
【００３０】
光源装置３１は、超高圧水銀ランプやメタルハライドランプ等からなる放電型の光源３１１及びリフレクター３１２等を備える。光源装置３１は、光源３１１から射出された光束をリフレクター３１２によって射出方向を揃え、照明光学装置３２に向けて射出する。
【００３１】
照明光学装置３２は、第１レンズアレイ３２１、第２レンズアレイ３２２、偏光変換素子３２３、及び重畳レンズ３２４を備える。第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４と共に、光束を後述する反射型光変調装置３４２の表面に略重畳させる。偏光変換素子３２３は、第２レンズアレイ３２２から射出されたランダム偏光光を反射型光変調装置３４２で利用可能な第１直線偏光光に揃える機能を有する。なお、偏光変換素子３２３は、第１直線偏光光として、本実施形態では、色分離光学装置３３での光束の損失が少ないＳ偏光光に揃えている。
【００３２】
色分離光学装置３３は、クロスダイクロイックプリズム３３１、Ｇ光反射ダイクロイックミラー３３２、及び反射ミラー３３３，３３４を備え、照明光学装置３２から射出された光束（Ｓ偏光光）を、赤色光（以下「Ｒ光」と称す）、緑色光（以下「Ｇ光」と称す）、及び青色光（以下「Ｂ光」と称す）の３色の色光に分離する機能を有する。
【００３３】
クロスダイクロイックプリズム３３１は、Ｂ光反射ダイクロイックミラー３３１Ｂ、及びＧＲ光反射ダイクロイックミラー３３１ＧＲがＸ字状に配列されている。クロスダイクロイックプリズム３３１は、照明光学装置３２から射出された光束のうち、Ｂ光をＢ光反射ダイクロイックミラー３３１Ｂで反射し、Ｇ光及びＲ光をＧＲ光反射ダイクロイックミラー３３１ＧＲで反射して、入射する光束を分離する。
【００３４】
Ｂ光反射ダイクロイックミラー３３１Ｂで反射されたＢ光は、反射ミラー３３３により反射され、後述する電気光学装置６Ｂに射出される。一方、ＧＲ光反射ダイクロイックミラー３３１ＧＲによって反射されたＧ光及びＲ光は、反射ミラー３３４により反射された後、Ｇ光反射ダイクロイックミラー３３２に入射する。
【００３５】
Ｇ光反射ダイクロイックミラー３３２は、反射ミラー３３４により反射されたＧ光及びＲ光のうち、Ｇ光を反射し、Ｒ光を透過して入射する光束を分離する。Ｇ光反射ダイクロイックミラー３３２で反射されたＧ光は、後述する電気光学装置６Ｇに射出され、Ｇ光反射ダイクロイックミラー３３２を透過したＲ光は、後述する電気光学装置６Ｒに射出される。
【００３６】
光学装置７は、３色の色光毎に備えられた電気光学装置６（Ｒ光用の電気光学装置を６Ｒ、Ｇ光用の電気光学装置を６Ｇ、Ｂ光用の電気光学装置を６Ｂとする）、及び色合成光学装置としてのクロスダイクロイックプリズム３４４を備え、色分離光学装置３３で分離された各色光を画像情報に応じて変調し、画像光を形成する。
【００３７】
電気光学装置６は、反射型偏光板３４１（反射型偏光板装置５）、反射型光変調装置３４２、偏光板３４３、及び支持部材６０を備える。反射型偏光板３４１は、ガラス基板上にアルミニウム等からなる微細な線状リブを平行に多数配列したワイヤーグリッド型の構成となっている。反射型偏光板３４１は、線状リブの延出方向に対して垂直な偏光方向の偏光光を透過し、線状リブの延出方向に平行な偏光方向の偏光光を反射する。
【００３８】
本実施形態の反射型偏光板３４１は、偏光変換素子３２３で揃えられた第１直線偏光光（本実施形態ではＳ偏光光）を透過させ、第１直線偏光光と略直交する第２直線偏光光（本実施形態ではＰ偏光光）を反射する。なお、反射型偏光板３４１の光路前段に位相差板を配置し、反射型偏光板３４１が第２直線偏光光を透過し、第１直線偏光光を反射するように構成してもよい。
【００３９】
反射型光変調装置３４２は、対向する基板間に液晶層が挟持された構造を有する、反射型の高温ポリシリコンＴＦＴ液晶パネル、または、いわゆるＬＣＯＳ（Liquid Crystal On Silicon）で構成されている。
【００４０】
反射型光変調装置３４２は、反射型偏光板３４１を透過した第１直線偏光光である色光を変調して反射型偏光板３４１に向けて反射する。反射型光変調装置３４２で変調され、反射型偏光板３４１に向けて反射された第２直線偏光光である色光は、反射型偏光板３４１で反射される。なお、反射型光変調装置３４２は、第２直線偏光光として、本実施形態では、Ｐ偏光光に揃えている。
【００４１】
偏光板３４３は、反射型偏光板３４１で反射された第２直線偏光光を透過させる。すなわち、偏光板３４３は、反射型偏光板３４１で反射された光束に、正規の偏光光以外の偏光成分を有する偏光光が含まれた場合であっても、正規以外の偏光成分を除去することにより、画像のコントラスト向上に寄与している。
【００４２】
支持部材６０は、色光毎に設けられ（Ｒ光用の支持部材を６０Ｒ、Ｇ光用の支持部材を６０Ｇ、Ｂ光用の支持部材を６０Ｂとする）、反射型偏光板３４１、反射型光変調装置３４２、及び偏光板３４３を支持する。なお、反射型偏光板３４１は、後述する保持部材５０に設置されており、支持部材６０は、この保持部材５０を支持することで、反射型偏光板３４１を支持する。電気光学装置６は、位置決めされた投写レンズ３５及びクロスダイクロイックプリズム３４４に対して位置調整された後、固定される構成となっている。なお、電気光学装置６の位置調整方法に関しては、以降で説明する。
【００４３】
クロスダイクロイックプリズム３４４は、電気光学装置６で変調された各色光を合成してカラー画像を表す画像光を形成する。クロスダイクロイックプリズム３４４は、４つの直角プリズムを貼り合わせた平面視略正方形をなし、直角プリズム同士を貼り合わせた界面には、２つの誘電体多層膜が形成されている。クロスダイクロイックプリズム３４４は、誘電体多層膜が電気光学装置６Ｒ，６Ｂで変調されたＲ光、Ｂ光を反射し、電気光学装置６Ｇで変調されたＧ光を透過して、各色光を合成する。
【００４４】
投写レンズ３５は、複数のレンズを組み合わせた組レンズとして構成され、光学装置７で形成された画像光をスクリーン上に投写する。
【００４５】
図２は、光学装置７を示す斜視図であり、図２（ａ）は、光学装置７を−Ｘ方向から見た平面図であり、図２（ｂ）は、光学装置７の斜視図である。なお、以降の図において、説明の便宜上、ＸＹＺ直交座標系を用いる。詳細には、Ｇ光用の電気光学装置６Ｇから光束が射出される方向をＸ方向（＋Ｘ方向）、Ｂ光用の電気光学装置６Ｂから光束が射出される方向をＺ方向（＋Ｚ方向）、Ｘ方向及びＺ方向に直交し、図２（ａ）において図面上方向をＹ方向（＋Ｙ方向）とする。なお、＋Ｙ方向を上方向（−Ｙ方向を下方向）、＋Ｘ方向を前方向（−Ｘ方向を後方向）として、適宜使用する。
【００４６】
光学装置７は、図２に示すように、各色光に対応した３つの電気光学装置６（６Ｒ，６Ｇ，６Ｂ）と、３つの電気光学装置６を、隣接して直交する入射面にそれぞれ固定するクロスダイクロイックプリズム３４４と、クロスダイクロイックプリズム３４４を固定する固定台９とで構成される。
【００４７】
図３は、Ｂ光用の電気光学装置６Ｂを示す斜視図であり、図３（ａ）と図３（ｂ）とは、電気光学装置６Ｂの見る方向を変えた斜視図となっている。図４は、Ｂ光用の電気光学装置６Ｂの分解斜視図である。ここで、Ｒ光用の電気光学装置６Ｒ、Ｇ光用の電気光学装置６Ｇ、及びＢ光用の電気光学装置６Ｂは、略同様の構成部材により、略同一に構成されている。従って、以降では、Ｂ光用の電気光学装置６Ｂを取り上げて、電気光学装置６の構成及び動作を説明する。
【００４８】
電気光学装置６Ｂ（６）は、図３、図４に示すように、支持部材６０Ｂ（６０）と、反射型光変調装置３４２Ｂ（３４２）と、反射型偏光板装置５Ｂ（５）と、偏光板３４３とを備えて構成される。なお、反射型偏光板装置５は、色光毎に設けられており、以降、Ｒ光用の反射型偏光板装置を５Ｒ、Ｇ光用の反射型偏光板装置を５Ｇ、Ｂ光用の反射型偏光板装置を５Ｂとする。
【００４９】
支持部材６０Ｂは、概三角柱状のフレーム状に形成される。支持部材６０Ｂは、反射型偏光板３４１を支持する第１面部６１と、反射型光変調装置３４２Ｂを支持する第２面部６２と、偏光板３４３を支持する第３面部６３とを備えている。また、第１面部６１は、色分離光学装置３３によるＢ光の光軸に対して約４５°傾けて構成される。第２面部６２及び第３面部６３は、この第１面部６１を挟んで互いに略直交して構成されている。従って、支持部材６０Ｂは、概ね直角三角柱のフレーム状に形成されている。
【００５０】
なお、反射型偏光板３４１は、後述する反射型偏光板装置５Ｂに組み込まれて構成されており、図４に示すように、保持部材５０Ｂを介して第１面部６１に支持固定される。なお、保持部材５０は、色光毎に設けられており、以降、Ｒ光用の保持部材を５０Ｒ、Ｇ光用の保持部材を５０Ｇ、Ｂ光用の保持部材を５０Ｂとする。
【００５１】
図５は、Ｂ光用の反射型偏光板装置５Ｂの分解斜視図である。図６、図７は、Ｂ光用の反射型偏光板装置５Ｂの斜視図であり、詳細には、図６は、反射型偏光板３４１に対して第１直線偏光光が入射する方向から見た斜視図であり、図７は、反射型偏光板３４１に対して入射した第１直線偏光光が透過する方向から見た斜視図である。図６は、第１付勢部材５１の係合片５１５の引掛け部５１５ａを、保持部材５０Ｂの係合溝部５０３に引掛ける直前の図として図示している。図４〜図７を参照して、反射型偏光板装置５Ｂの構成と動作に関して説明する。
【００５２】
なお、図６に示すように、反射型偏光板装置５Ｂに対して第１直線偏光光が入射する面側を表面側５０ａとし、図７に示すように、第１直線偏光光が透過する面側を背面側５０ｂとして適宜使用する。また、図４〜図７において、表面側５０ａに正対した場合を基準として左右方向を使用する。
【００５３】
図４、図５に示すように、反射型偏光板装置５Ｂは、保持部材５０Ｂと反射型偏光板３４１と第１付勢部材５１と第２付勢部材５２とを備えて構成される。
【００５４】
保持部材５０Ｂは、反射型偏光板３４１を収容して保持する部材であり、反射型光変調装置３４２Ｂに対する反射型偏光板３４１の角度を調整する部材でもある。保持部材５０Ｂは、略矩形状に形成され、略中央に矩形状の開口部５０１と、開口部５０１を囲む四方の周囲に反射型偏光板３４１を収容する外周から窪んだ凹部５０２が形成される。
【００５５】
この凹部５０２には、３つの保持部５０８が設置（形成）されている。保持部５０８は、後述する第１付勢部材５１と協働して、反射型偏光板３４１の一方の面（本実施形態では機能面３４１１）を当接して保持する部分である。
【００５６】
保持部５０８は、図５に示すように、左側の凹部５０２の略中央に凹部５０２からわずかに突出した第１保持部５０８１が形成される。また、右側の凹部５０２には、凹部５０２からわずかに突出した第２保持部５０８２と第３保持部５０８３が形成される。なお、３つの保持部５０８の凹部５０２からの突出量は同一に形成される。
【００５７】
なお、この凹部５０２に反射型偏光板３４１が収容される場合、３つの保持部５０８は、反射型偏光板３４１の一方の面（機能面３４１１）において、対向する縁部（３４１Ａ，３４１Ｂ）のうち、第１保持部５０８１が一方の縁部３４１Ａの１箇所に当接し、第２保持部５０８２，第３保持部５０８３が他方の縁部３４１Ｂの２箇所に当接する。
【００５８】
なお、第２保持部５０８２と第３保持部５０８３とは、第１保持部５０８１の中央を通り、ＸＺ面に平行となる中心線Ｃ１に対して略対称となる位置に形成（設置）される。言い換えると。第２保持部５０８２と第３保持部５０８３とは、第１保持部５０８１の中央を通り、反射型偏光板３４１の他方の縁部３４１Ｂの外形辺３４１５に垂直となる中心線Ｃ１に対し、略対称となる位置に設置される。理想的には、第１保持部５０８１と、第２保持部５０８２と、第３保持部５０８３とは正三角形を形成するのがよい。なお、本実施形態では、保持部材５０Ｂはアルミニウム等の金属部材を採用しており、３つの保持部５０８は、二次加工としての切削加工を行い形成している。
【００５９】
図７に示すように、保持部材５０Ｂの背面側５０ｂの上下方向の外縁中央部には、第１付勢部材５１と係合する一対の係合溝部５０３が形成されている。また、図５に示すように、保持部材５０Ｂの表面側５０ａの左右方向の外縁中央部には、一対の案内溝部５０４が形成され、後述する第１付勢部材５１の位置決め片５１４を案内する。また、凹部５０２の−Ｙ方向には、第２付勢部材５２を案内する案内突起５０５が複数形成されている。
【００６０】
また、図５に示すように、保持部材５０Ｂの＋Ｙ方向の縁部中央には、表面側５０ａに突出する円柱状の方向規制部５０６が２つ形成されている。なお、方向規制部５０６は、後述する第１付勢部材５１の向きを決める働きを行う。また、本実施形態の保持部材５０Ｂでは、２つの方向規制部５０６のうち、右側の方向規制部５０６を使用し、左側の方向規制部５０６は使用しない。なお、本実施形態では、上述した二次加工の工程において、使用しない側の方向規制部５０６を削除している。
【００６１】
保持部材５０Ｂの外形となる３つの角部には、反射型光変調装置３４２Ｂに対する反射型偏光板３４１の平面方向の角度を調整する調整部８が構成されている。なお、調整部８は、保持部材５０Ｂと支持部材６０Ｂとの双方に構成され、支持部材６０Ｂ（反射型光変調装置３４２Ｂ）に対して保持部材５０Ｂを回動可能とする係合部８０と、支持部材６０Ｂに保持部材５０Ｂを固定する固定部８４とを備えている。
【００６２】
保持部材５０Ｂは、調整部８を構成する係合部８０として、保持部材５０Ｂの３つの角部の外周面を構成する３つの調整用外周面部８２を備えている。なお、３つの調整用外周面部８２は、開口部５０１の中心を基準とする同心円状に曲面で形成されている。また、左上側の調整用外周面部８２の上部には、上方向に突出する調整用突起８３が形成されている。調整用突起８３は、反射型偏光板３４１の角度を調整する際に把持されるものである。
【００６３】
３つの調整用外周面部８２は、支持部材６０Ｂの第１面部６１に形成される後述する係合部８０としての３つの調整用案内面部８１（図４参照）に案内される。また、保持部材５０Ｂは、調整部８を構成する固定部８４として、３つの調整用外周面部８２の近傍で、開口部５０１の中心を基準とする同心円状に、それぞれ貫通する固定用長孔８５を備えている。この固定用長孔８５は、反射型偏光板３４１の調整が終了した後、保持部材５０Ｂを第１面部６１へ固定する際に使用される。
【００６４】
第１付勢部材５１は、保持部材５０Ｂに収容した反射型偏光板３４１に対し、保持部材５０Ｂと協働し、平面（本実施形態では、反射型偏光板３４１の後述するガラス面３４１２）を表面側５０ａから付勢する部材である。なお、第１付勢部材５１は、反射型偏光板３４１の平面が歪まない適切な押え方と適切な押圧力で、反射型偏光板３４１を付勢する。
【００６５】
また、第１付勢部材５１は、遮光性を有し、後述する開口部５１１外に入射する光束を遮光する部材である。第１付勢部材５１は、弾性を有する板状の金属部材を曲折して形成される。第１付勢部材５１は、略矩形状に形成されており、略中央に開口部５１１が形成される。なお、開口部５１１は、略台形形状に形成される。また、開口部５１１の各辺部は、略直線状に形成されており、辺部に切り欠き部や延出部等は形成されていない。
【００６６】
図３〜図５に示すように、開口部５１１の台形形状は、いわゆる等脚台形として形成されており、図４に示すように、左右の平行となる対辺の短い辺をいわゆる上底５１１１とし、長い辺をいわゆる下底５１１２とした場合、上底５１１１が右側に位置し、下底５１１２が左側に位置する形状となる。
【００６７】
図４〜図６に示すように、第１付勢部材５１の左右方向中央部には第１バネ部５１２が形成され、その第１バネ部５１２の上下方向には第１バネ部５１２から離れるに従い表面側５０ａから離れる方向に傾く第２バネ部５１３が形成されている。また、左右の第１バネ部５１２には、背面側５０ｂに曲折する一対の位置決め片５１４が形成される。
【００６８】
また、第１付勢部材５１の上下方向中央部（上下の第２バネ部５１３の中央部）には、背面側５０ｂに曲折する一対の係合片５１５が形成される。係合片５１５の先端部には一対の引掛け部５１５ａ（図７）が形成されている。
【００６９】
また、図６に示すように、上下方向の第２バネ部５１３の係合片５１５との近傍には、中央部から若干右方向に位置して（上底５１１１側に寄って）、第１付勢部材５１の保持部材５０Ｂへの固定する向きを決める孔部５１６が形成されている。
【００７０】
図５に示すように、第１付勢部材５１には、３つの付勢部５１８が設置（形成）されている。第１付勢部材５１は、この３つの付勢部５１８が反射型偏光板３４１のガラス面３４１２に当接して押圧する。
【００７１】
付勢部５１８は、図５，図６に示すように、開口部５１１の左側（下底５１１２）の第１バネ部５１２の中央に、背面側５０ｂに向けて（反射型偏光板３４１のガラス面３４１２側に向けて）突出する先端が略球面形状を有する第１付勢部５１８１が形成される。また、開口部５１１の右側（上底５１１１）の上下の第２バネ部５１３に、第１付勢部５１８１と同様に、背面側５０ｂに向けて（反射型偏光板３４１のガラス面３４１２側に向けて）突出する先端が略球面形状を有する第２付勢部５１８２と第３付勢部５１８３とが形成される。なお、本実施形態では、ポンチ加工により付勢部５１８を形成している。
【００７２】
なお、前述した保持部材５０の３つの保持部５０８と第１付勢部材５１の３つの付勢部５１８とは、保持部材５０に第１付勢部材５１を組み付けた場合、それぞれ相対する位置に形成されている。詳細には、第１保持部５０８１と第１付勢部５１８１とが相対し、第２保持部５０８２と第２付勢部５１８２とが相対し、第３保持部５０８３と第３付勢部５１８３とが相対する。
【００７３】
第２付勢部材５２は、保持部材５０Ｂに収容した反射型偏光板３４１に対し、保持部材５０Ｂと協働し、反射型偏光板３４１の側面（本実施形態では反射型偏光板３４１の後述する下面３４１３）を付勢する部材である。第２付勢部材５２は、弾性を有する板状の金属部材を曲折して形成される。第２付勢部材５２は、帯状で対称形状となる断面略Ｗ字状に形成されている。第２付勢部材５２の両端部に、反射型偏光板３４１の側面を押圧する２つのバネ部５２１が形成されている。
【００７４】
ここで、図４〜図７を参照して、反射型偏光板装置５Ｂの組み立てに関して説明する。
最初に、保持部材５０Ｂの案内突起５０５の突起間の溝に第２付勢部材５２を挿入して設置する。次に、保持部材５０Ｂの凹部５０２に反射型偏光板３４１を表面側５０ａから挿入する。このとき、反射型偏光板３４１の機能面３４１１（ワイヤーグリッドが形成される面）を凹部５０２に相対させる。また、反射型偏光板３４１の下面３４１３を、第２付勢部材５２の２つのバネ部５２１に抗して、バネ部５２１を下方向に押し下げながら挿入する。
【００７５】
上述したように、保持部材５０Ｂの凹部５０２に反射型偏光板３４１を挿入した場合、保持部材５０Ｂは、３つの保持部５０８が反射型偏光板３４１に当接して保持する。詳細には、第１保持部５０８１が一方の縁部３４１Ａに当接し、第２保持部５０８２と第３保持部５０８３が他方の縁部３４１Ｂに当接して反射型偏光板３４１を保持する。
【００７６】
そして、反射型偏光板３４１は、図６に示すように、第２付勢部材５２により、側面（下面３４１３）方向から押圧された状態で支持固定される。詳細には、反射型偏光板３４１は、第２付勢部材５２のバネ部５２１により、下面３４１３に対して垂直方向から押圧された状態で支持固定される。なお、反射型偏光板３４１の機能面３４１１は、図７に示すように、背面側５０ｂを向き、開口部５０１から露出する。
【００７７】
次に、第１付勢部材５１を保持部材５０Ｂに設置する。第１付勢部材５１の孔部５１６に保持部材５０Ｂの方向規制部５０６を挿通し、位置決め片５１４が案内溝部５０４を挟むように設置する。次に、それぞれの係合片５１５を第１バネ部５１２、第２バネ部５１３の付勢力に抗して係合溝部５０３の方向に押圧し、図７に示すように、引掛け部５１５ａを係合溝部５０３に引掛ける。
【００７８】
これにより、反射型偏光板３４１は、図５、図６に示すように、保持部材５０Ｂの３つの保持部５０８に保持されると共に、３つの保持部５０８に相対した位置に形成される第１付勢部材５１の３つの付勢部５１８により、機能面３４１１とは逆側の面（ガラス面３４１２）を表面側５０ａから押圧された状態で支持固定される。なお、反射型偏光板３４１のガラス面３４１２は、表面側５０ａを向き、第１付勢部材５１の台形形状を有する開口部５１１から露出する。
【００７９】
この組み立てにより、反射型偏光板３４１は、保持部材５０Ｂの３つの保持部５０８に保持され、第１付勢部材５１の３つの付勢部５１８により、ガラス面３４１２を垂直方向から押圧された状態で支持固定される。また、反射型偏光板３４１は、第２付勢部材５２のバネ部５２１により、下面３４１３を押圧された状態で支持固定された状態となる。
以上の組み立てにより、反射型偏光板装置５Ｂが完成する。
【００８０】
次に、図３、図４を参照して、電気光学装置６Ｂの構成を説明する。
電気光学装置６Ｂを構成する支持部材６０Ｂは、前述したように、第１面部６１と第２面部６２と第３面部６３とを有し、概ね直角三角柱のフレーム状に形成されている。第１面部６１は、反射型偏光板装置５Ｂを回動自在に支持固定する。第２面部６２は、反射型光変調装置３４２Ｂを支持固定する。また、第３面部６３は、偏光板３４３を支持固定する。
【００８１】
第１面部６１は、矩形状の開口部６１１と、開口部６１１が形成される受部６１２を有している。受部６１２の外周となる３つの角部には、反射型光変調装置３４２Ｂに対する反射型偏光板３４１の平面方向の角度を調整する調整部８が構成されている。そして、支持部材６０Ｂは、調整部８を構成する係合部８０として、３つの調整用案内面部８１を備えている。調整用案内面部８１は、保持部材５０Ｂの３つの調整用外周面部８２に対応させ、調整用外周面部８２の外周面をそれぞれ摺動可能に形成されている。
【００８２】
また、支持部材６０Ｂは、調整部８を構成する固定部８４として、３つの調整用案内面部８１近傍の受部６１２に、それぞれネジ孔８７を備えている。このネジ孔８７は、反射型偏光板３４１の調整が終了した後、第１面部６１へ保持部材５０Ｂを固定する際に使用される。
【００８３】
反射型偏光板装置５Ｂを支持部材６０Ｂの第１面部６１に設置する場合は、図４に示すように、反射型偏光板装置５Ｂの保持部材５０Ｂに形成した３つの調整用外周面部８２を、第１面部６１に形成した、３つの調整用案内面部８１に対応させて、受部６１２に、保持部材５０Ｂの背面側５０ｂを当接させる。
【００８４】
なお、受部６１２に、保持部材５０Ｂの背面側５０ｂを当接させる場合、詳細には、図７に示すように、固定用長孔８５の外周部を周囲より突出させて形成された凸部８５１を、第１面部６１の受部６１２に当接させる。この設置により、反射型偏光板３４１の機能面３４１１は、反射型光変調装置３４２に向けて第１面部６１に支持固定される。
【００８５】
第２面部６２は、矩形状の開口部６２１と、図示省略する受部が形成されている。この受部に反射型光変調装置３４２Ｂの正面側３４２１を設置する。なお、反射型光変調装置３４２Ｂの正面側３４２１には、光束が入射し、また、射出される矩形状の有効領域となる開口部３４２２が形成されている。なお、反射型光変調装置３４２Ｂの背面側３４２３には、反射型光変調装置３４２Ｂで発生する熱を放熱するためのヒートシンク３４６が設置される。なお、反射型光変調装置３４２Ｂの側面からは、フレキシブル基板（図示省略）が延出しており、プロジェクター１の回路基板（図示省略）と接続され、反射型光変調装置３４２を駆動する画像情報が入力される。
【００８６】
第３面部６３は、図示省略する矩形状の開口部と、図示省略する受部が形成されている。その受部に偏光板３４３を設置する。詳細には、偏光板３４３は、偏光板３４３を保持及び調整可能とする保持板３４３１に固定され、この保持板３４３１を第３面部６３の受部に設置する。
【００８７】
次に、図３、図４を参照して、調整部８の調整方法を説明する。
電気光学装置６Ｂでの調整部８による調整は、反射型光変調装置３４２Ｂに対して、反射型偏光板装置５Ｂ（反射型偏光板３４１）を平面方向に回動させ、その回転角度を調整することにより行われる。また、調整部８とは別に、偏光板３４３の調整も行い、反射型光変調装置３４２Ｂに対して、平面方向に回動させ、その回転角度を調整する。この調整により、電気光学装置６Ｂから最終的に射出されるＢ光用の画像光のコントラストを向上させる。
【００８８】
調整部８による反射型偏光板装置５Ｂの調整方法は、反射型偏光板装置５Ｂを第１面部６１に設置した後、反射型光変調装置３４２Ｂを全黒状態として、反射型偏光板装置５Ｂに、光軸方向（約４５°傾いた方向）から光束を入射させる。そして、保持部材５０Ｂの調整用突起８３を把持して第１面部６１に対して平行方向に回動する。この動作により、３つの調整用外周面部８２は、それぞれに対応する調整用案内面部８１に対して摺動して回動する。なお、調整は電気光学装置６Ｂから射出される光束が最も暗くなる角度に調整する。調整した後、固定用長孔８５に固定部８４を構成する固定ネジ８６を挿通し、第１面部６１に形成されるネジ孔８７と螺合させることにより、反射型偏光板装置５Ｂを第１面部６１に固定する。
【００８９】
なお、偏光板３４３も同様に調整する。詳細には、偏光板３４３を保持する保持板３４３１を把持して、第３面部６３に対して平行方向に回動させ、電気光学装置６Ｂから射出される光束が最も暗くなる角度に調整する。調整後は、保持板３４３１を第３面部６３に接着剤等で固定する。
【００９０】
次に、このように組み立てられ、また、調整された電気光学装置６ＢにおけるＢ光の動作に関して、図４を参照して説明する。
照明光学装置３２により、第１直線偏光光（本実施形態ではＳ偏光光）に揃えられたＢ光は、反射型偏光板装置５Ｂに入射する。詳細には、第１付勢部材５１の台形形状を有する開口部５１１から、反射型偏光板３４１の機能面３４１１とは逆側となるガラス面３４１２に入射する。
【００９１】
反射型偏光板３４１に入射したＢ光は、反射型偏光板３４１を透過する。透過したＢ光は、支持部材６０Ｂ内部を、第１面部６１から第２面部６２に進み、開口部６２１を介して、前記透過したＢ光に対して略垂直に設置される反射型光変調装置３４２Ｂに入射する。なお、この際、第１付勢部材５１の台形形状の開口部５１１に入射したＢ光は、反射型光変調装置３４２Ｂの矩形状の開口部３４２２に対応した矩形状で入射して重畳する。
【００９２】
反射型光変調装置３４２Ｂは、開口部３４２２から入射したＢ光に対して、フレキシブル基板を介して入力される画像情報に応じて変調する。変調されたＢ光は、第２直線偏光光（本実施形態ではＰ偏光光）に揃えられて、開口部３４２２を介して反射型偏光板装置５Ｂに向けて反射（射出）する。
【００９３】
反射型光変調装置３４２Ｂから射出されたＢ光は、開口部５０１を介して反射型偏光板３４１に入射する。この際、反射型偏光板３４１は、機能面３４１１が反射型光変調装置３４２Ｂに相対して設置されるため、反射型偏光板３４１に入射したＢ光は、機能面３４１１により、ガラス基板内部に入射することなく反射される。
【００９４】
機能面３４１１で反射されたＢ光は、前記反射されたＢ光に略垂直に設置される偏光板３４３に入射する。この偏光板３４３により、機能面３４１１で反射されたＢ光の中に含まれる正規以外の偏光成分が除去され、Ｐ偏光光が透過する。
以上の動作が、電気光学装置６Ｂの動作となる。
【００９５】
次に、反射型偏光板装置５（５Ｒ，５Ｇ，５Ｂ）に使用する第１付勢部材５１の設置の仕方に関して説明する。
本実施形態の第１付勢部材５１は、３つの反射型偏光板装置５に対し、１種類の第１付勢部材５１を用いることで、部品の共通化を図っている。そして、図１で示す各反射型偏光板３４１（反射型偏光板装置５）の光路上の位置関係により、Ｂ光用とＧ光用に用いる場合と、Ｒ光用に用いる場合とで、第１付勢部材５１の取り付け方向を面方向で１８０°回転することで対応させている。
【００９６】
詳細には、Ｂ光用とＧ光用では、第１付勢部材５１を正面から見た場合、上述したように、上底５１１１が右側で、下底５１１２が左側となり、孔部５１６が中央部から右方向に位置するように設置する。なお、３つの付勢部５１８は、第１付勢部材５１を正面から見た場合、第１付勢部５１８１が左側の下底５１１２側に形成され、第２付勢部５１８２と第３付勢部５１８３とが右側の上底５１１１側に形成される。
【００９７】
また、Ｒ光用では、第１付勢部材５１を正面から見た場合、上底５１１１が左側で、下底５１１２が右側となり、孔部５１６が中央部から左方向に位置するように設置する。なお、この向きに合わせて、Ｇ光用の保持部材５０Ｇでは、左側の方向規制部５０６を削除し、Ｒ光用の保持部材５０Ｒでは、右側の方向規制部５０６を削除する。これに合わせて、Ｒ光用の保持部材５０Ｒでは、３つの保持部５０８が、保持部材５０Ｒを正面から見た場合、Ｂ光用及びＧ光用の保持部材５０Ｒ，５０Ｇとは逆側に設置される。詳細には、Ｒ光用の保持部材５０Ｒの３つの保持部５０８は、第１保持部５０８１が、右側に形成され、第２保持部５０８２と第３保持部５０８３とが左側に形成される。
【００９８】
なお、Ｒ光用及びＧ光用の反射型偏光板装置５（５Ｒ，５Ｇ）は、Ｂ光用の反射型偏光板装置５Ｂと同様に組み立てる。また、Ｒ光用及びＧ光用の電気光学装置６（６Ｒ，６Ｇ）も、Ｂ光用の電気光学装置６Ｂと同様に組み立てる。また、反射型光変調装置３４２Ｒ，３４２Ｇに対するそれぞれの反射型偏光板３４１及び偏光板３４３の調整も、反射型光変調装置３４２Ｂに対する反射型偏光板３４１及び偏光板３４３の調整と同様に行う。
【００９９】
ここで、光学装置７の組み立て及び調整に関して説明する。
前述したように調整されて組み立てられた各色光用の電気光学装置６（６Ｒ，６Ｇ，６Ｂ）は、クロスダイクロイックプリズム３４４の入射面（図示省略）に対して、各色光用の電気光学装置６の偏光板３４３を相対させて仮設置する。そして、クロスダイクロイックプリズム３４４から射出される合成された画像光の画素位置調整を行う。詳細には、例えば、Ｇ光用の電気光学装置６Ｇを基準として、Ｒ光用の電気光学装置６Ｒと、Ｂ光用の電気光学装置６Ｂとを６軸方向で順次調整することにより、対応する３つの色光の画素が一致するように、画像光の画素位置調整を行う。
【０１００】
その後、クロスダイクロイックプリズム３４４の３方向の入射面に、各色光用の電気光学装置６を、調整された位置で接着剤等を用いて固定する。これにより、図２に示すように、光学装置７が完成する。なお、各色光用の電気光学装置６を調整する際、支持部材６０の上部に形成される突起部６４を把持して行う。
【０１０１】
上述した実施形態によれば、以下の効果が得られる。
本実施形態の反射型偏光板装置５は、第１付勢部材５１により、反射型偏光板３４１の平面を付勢することによって、反射型偏光板３４１を保持部材５０に固定することができる。また、このとき、反射型偏光板３４１は、一方の面（機能面３４１１）が、保持部材５０の３つの保持部５０８に当接され、他方の面（ガラス面３４１２）が、３つの保持部５０８に相対する第１付勢部材５１の３つの付勢部５１８に押圧されて付勢されることにより固定される。この構成により、反射型偏光板３４１の両面を、保持部５０８と付勢部５１８との相対する３点で支持する形態とすることができ、また、３点で支持することによって、反射型偏光板３４１を適切な押え方と適切な押圧力で保持部材５０に固定することがでると共に、衝撃（物理的衝撃や熱的衝撃を含む）や振動等が加わった場合にも、変形等することなく、反射型偏光板３４１を確実に固定することができる。これにより、通常使用時において反射型偏光板３４１自体に歪みが生じることを防止できると共に、衝撃や振動等が加わった場合にも反射型偏光板３４１の保持部材５０に対する移動を防止することができる。従って、通常使用時はもとより、衝撃や振動等が加わった場合にも、反射型偏光板３４１の光学特性を維持することができる。
【０１０２】
本実施形態の反射型偏光板装置５において、付勢部５１８は、先端が略球面形状を有して反射型偏光板３４１のガラス面３４１２側に突出している。これにより、仮に、付勢部５１８がずれたとしても、反射型偏光板３４１のガラス面３４１２側を適切に、支持および付勢することができる。
【０１０３】
本実施形態の反射型偏光板装置５は、第１付勢部材５１により、反射型偏光板３４１の平面を付勢するだけではなく、第２付勢部材５２により、反射型偏光板３４１の側面（下面３４１３）も付勢する。従って、平面のみの付勢だけでなく側面（下面３４１３）も付勢することによって、反射型偏光板３４１を保持部材５０に確実に固定することができる。従って、衝撃や振動等が加わった場合、反射型偏光板３４１の保持部材５０に対する平面方向の回転を更に防止することができる。
【０１０４】
本実施形態の反射型偏光板装置５において、保持部５０８は、反射型偏光板３４１の一方の面（機能面３４１１）において、対向する縁部３４１Ａ，３４１Ｂを１箇所と２箇所で当接させる。これに対応して、第１付勢部材５１の付勢部５１８も保持部５０８に相対して形成され、反射型偏光板３４１の他方の面（ガラス面３４１２）を押圧する。これにより、反射型偏光板３４１の保持部材５０への固定を安定させることができる。
【０１０５】
本実施形態の反射型偏光板装置５において、他方の縁部３４１Ｂの２箇所に当接する第２保持部５０８２と第３保持部５０８３は、一方の縁部３４１Ａの１箇所に当接する第１保持部５０８１を通り、反射型偏光板３４１の他方の縁部３４１Ｂの外形辺３４１５に垂直となる中心線Ｃ１に対し、略対称となる位置に設置されている。これにより、反射型偏光板３４１の保持部材５０への固定を更に安定させることができる。
【０１０６】
本実施形態の電気光学装置６において、反射型偏光板装置５は、概三角柱状に形成される支持部材６０の第１面部６１に支持されて固定され、反射型光変調装置３４２は支持部材６０の第２面部６２に支持されて固定される。そして、反射型偏光板装置５は、透過した第１直線偏光光を反射型光変調装置３４２に入射させ、反射型光変調装置３４２は、入射した第１直線偏光光を第２直線偏光光として反射型偏光板装置５に反射させ、反射型偏光板装置５は、入射した第２直線偏光光を第３面部６３に向けて反射させる。このように構成される電気光学装置６に、通常使用時、および衝撃や振動等が加わった場合にも、反射型偏光板３４１の光学特性を維持できる反射型偏光板装置５を備えることにより、入射する第１直線偏光光を反射型光変調装置３４２に適切に透過すると共に、反射型光変調装置３４２からの第２直線偏光光を適切に反射させることができる。従って、通常使用時、および衝撃や振動等が加わった場合にも、光学特性を維持する電気光学装置６を実現することができる。
【０１０７】
本実施形態の光学装置７において、クロスダイクロイックプリズム３４４は、電気光学装置６を色光毎に、対応する面に設置して固定する。また、光学装置７は、それぞれの電気光学装置６で変調されて射出された画像光を合成して射出する。なお、このように構成される光学装置７に、通常使用時、および衝撃や振動等が加わった場合にも、光学特性を維持できる電気光学装置６を備えることにより、色光毎に設置される電気光学装置６から射出された画像光を、クロスダイクロイックプリズム３４４で適切に合成して射出することができる。従って、通常使用時、および衝撃や振動等が加わった場合にも、色むらや画素ズレを抑制できることで光学特性を維持する光学装置７を実現することができる。また、反射型偏光板３４１自体の歪みを防止できることで、光学装置７の製造時における、Ｒ光、Ｇ光、Ｂ光の画素位置調整作業を効率的に行うことができる。
【０１０８】
本実施形態のプロジェクター１は、上述した光学装置７を備えることにより、通常使用時、および衝撃や振動等が加わった場合にも光学特性を維持できるため、コントラスト性能を維持し、画素ズレを抑制した画像光を投写することができる。
【０１０９】
なお、上述した実施形態に限定されず、その要旨を逸脱しない範囲において種々の変更や改良等を加えて実施することが可能である。変形例を以下に述べる。
【０１１０】
前記実施形態では、付勢部材（第１付勢部材５１、第２付勢部材５２）を、反射型偏光板装置５における、反射型偏光板３４１の平面および側面を付勢する構成にしているが、これに限らず、他の偏光板、光学素子に適用してもよい。
【０１１１】
前記実施形態の反射型偏光板装置５において、保持部材５０の保持部５０８は、反射型偏光板３４１の機能面３４１１に当接するある程度の平面部分を有して設置されているが、この当接する面積も極力小さくすることがよい。
【０１１２】
前記実施形態の反射型偏光板装置５において、第１付勢部材５１の付勢部５１８は、先端が略球面形状を有して突出して形成されている。しかし、これに限られず、付勢部５１８は、先端が球面形状でなく、断面形状として曲面を有するように突出して形成されていてもよい。
【０１１３】
前記実施形態の反射型偏光板装置５において、保持部材５０の保持部５０８は、表面側５０ａに正対した場合、左右方向の凹部５０２に設置されている。しかし、これに限られず、第１付勢部材５１の形状との兼ね合いにもよるが、上下方向の凹部５０２に設置されていてもよい。また、反射型偏光板３４１の形状により、上下方向のいずれかに１つと、左右方向に１つずつ、または、左右方向のいずれかに１つと、上下方向に１つずつ等の設置としてもよい。なお、第１付勢部材５１は、保持部に相対する位置に設置することでよい。
【０１１４】
前記実施形態のプロジェクター１の光学系は、Ｒ光、Ｇ光、Ｂ光に対応する３つの反射型光変調装置３４２を用いるいわゆる３板方式を採用しているが、これに限らず、単板方式を採用してもよい。単板方式の反射型光変調装置に本実施形態の反射型偏光板装置５及び電気光学装置６を用いた場合には、投写画像の部分的なフォーカスずれを抑制することができる。
【０１１５】
前記実施形態のプロジェクター１の光学系において、光源装置３１は、超高圧水銀ランプやメタルハライドランプ等からなる放電型の光源３１１及びリフレクター３１２等を備えている。しかし、これに限られず、光源装置は、レーザーダイオード、ＬＥＤ（Light Emitting Diode）、有機ＥＬ（Electro Luminescence）素子、シリコン発光素子等の各種固体発光素子を採用してもよい。
【符号の説明】
【０１１６】
１…プロジェクター、５…反射型偏光板装置、６…電気光学装置、７…光学装置、５０…保持部材、５１…第１付勢部材、５２…第２付勢部材、６０…支持部材、６１…第１面部、６２…第２面部、６３…第３面部、３４１…反射型偏光板、３４１Ａ，３４１Ｂ…縁部、３４１５…外形辺、３４２…反射型光変調装置、３４４…クロスダイクロイックプリズム、３４１１…機能面、３４１２…ガラス面、３４１３…下面、５０８…保持部、５１８…付勢部、Ｃ１…中心線。
【図１】
0005849589.tif 000002
【図２】
0005849589.tif 000003
【図３】
0005849589.tif 000004
【図４】
0005849589.tif 000005
【図５】
0005849589.tif 000006
【図６】
0005849589.tif 000007
【図７】
0005849589.tif 000008